(57)【要約】【課　題】施工状況に応じてマンホールの内側からでも外側からでも取付けできる水密性及び可撓性を有する継手を提供する。【解決手段】継手本体１５は、ソリッドゴム製で、大径部１５ａと小径部１５ｂを有し、大径部端は周溝１６により薄肉に形成され、内向きに折り返しできるようにされる。小径部１５ｂの内外にはリップが鋸歯状をなして形成される。マンホールの内側から取付けるときには、削孔２に継手本体１５を挿入したのち、大径部１５ａを張り出し金具１９で固定する。マンホール外からは取付管３を挿入し、小径部１５ｂをホースバンド５で固定する。外側から取付けるときには位置決め金具を用いて継手本体１５を削孔２に挿入したのち大径部１５ａを張り出し金具１９で固定し、小径部１５ｂをマンホール外に折り返して取付管３を挿入固定する。小径部１５ｂの内外に一体形成されるリップはいずれかが取付管３に圧着してシールする。【選択図】　図７
2004100144.tif 000002
【特許請求の範囲】
【請求項１】
マンホール１に取付管３を接続する際に用いられ、水密性及び可撓性を有するマンホール用の継手であって、一端に大径部１５ａを、他端に小径部１５ｂを有し、大径部１５ａ端で内向きに折り込み可能なゴム又は樹脂製の継手本体１５と、該継手本体１５の大径部内側に装着され、拡径して大径部１５ａをマンホール１に削孔された孔２内面に圧着させる張り出し金具１９と、上記小径部１５ｂを継手本体１５に挿入された取付管３に締着し固定する締着手段５と、小径部１５ｂの内外に設けられる第１のシール手段１８と、大径部１５ａの外側に設けられ、マンホール１の削孔２内面に圧着する第２のシール手段１７を有することを特徴とする継手。
【請求項２】
上記第１及び第２のシール手段が小径部１５ｂの内外及び大径部１５ａの外側に突出形成されるシールリップ１７、１８であることを特徴とする請求項１記載の継手。
【請求項３】
前記継手をマンホール１に削孔された孔２内に小径部１５ｂを先頭にしてマンホール外側から挿入し、挿入後大径部１５ａ端から内向きに折り返して小径部１５ｂをマンホール外側に向けて突出したとき、大径部１５ｂと小径部１５ｂの間の傾斜部１５ｃと、大径部１５ａを孔２内面に圧着させる張り出し金具１９との間の隙間に充填材４をマンホール外側から挿入したことを特徴とする請求項１又は２記載の継手。
【発明の詳細な説明】
【０００１】
【発明が属する技術分野】
本発明は、マンホールに下水道管等の取付管を接続するのに用いられ、水密性及び可撓性を有する樹脂又はゴム製の継手に関する。
【０００２】
【従来技術】
耐震性を有するこの種の継手には、マンホールの内側から取付けられるタイプのものと、外側から取付けられるタイプのものがある。
図８は、内側から取付けられるタイプのものを示すもので、その施工は、マンホール１の削孔２に継手３１を内側から挿入し、位置決めしたのち大径部３１ａに張り出し金具３２を装着して、図示しない拡張治具をセットし、張り出し金具３２を拡径して大径部３１ａを孔内面に圧着させる。この状態で張り出し金具３２をロックし、拡径状態に保持したのち拡張治具を取り外す。その後、マンホール外側から取付管３を挿入し、小径部３１ｂをホースバンド５で締め付けることにより固定する。そしてマンホール内側からポリエチレンスポンジよりなる管状の充填材６を取付管３と継手大径部３１ａとの間の隙間より挿入し、張り出し金具３２に装着する。その後モルタル仕上げを行う。図中、７は継手３１の小径部３１ｂと、取付管３との間をシールする水膨張スポンジゴムであり、８は、継手３１の大径部３１ａと削孔２の内面との間をシールする水膨張スポンジゴムである。また、９はモルタル等の目地材を示す。
【０００３】
図９は、継手３５をマンホール１の外側から取付けるタイプのものを示すもので、その施工は、マンホール１の削孔２に継手３５を図示する状態でマンホール外側から挿入する。そしてフランジ３５ｃを孔縁に当てゝ位置決めしたのち、小径部３５ｂをマンホール内側に押込んで真直ぐに延ばし、大径部３５ａに張り出し金具３６を上記と同様に装着して図示しない拡張治具をセットし、張り出し金具３６を拡径して大径部３５ａを孔内面に圧着させる。そして張り出し金具３６をロックし、拡径状態に保持して拡張治具を取外す。その後、小径部３５ｂを図示するように折り返してマンホール外側に戻し、その後取付管３をマンホール外側から挿入する。ついで小径部３５ｂをホースバンド５の締付けにより固定する一方、マンホール内側からポリエチレンスポンジ等よりなる充填材６を取付管３と継手大径部３５ａとの間の隙間に押し込み挿入する。９はモルタル等の目地材である。なお、大径部３５ａと削孔内面との間には図示していないが、小径部３６ｂと取付管３との間に設けられる水膨張スポンジゴム７と同様、水膨張スポンジゴムが設けられている。
【０００４】
【発明が解決しようとする課題】
従来の継手には上述するように、マンホールの内側から取付けられるタイプと、外側から取付けられるタイプの二種類があり、施工状況によっていずれかの継手を選択して使用せねばならなかった。
本発明は、一種類でマンホールの内側からでも、外側からでも取付けることができる継手を提供することを目的とする。
【０００５】
【課題の解決手段】
請求項１に係わる発明は、マンホールに取付管を接続する際に用いられ、水密性及び可撓性を有するマンホール用の継手であって、一端に大径部を、他端に小径部を有し、大径部端で内向きに折り込み可能なゴム又は樹脂製の継手本体と、該継手本体の大径部内側に装着され、拡径して大径部をマンホールに削孔された孔内面に圧着させる張り出し金具と、上記小径部を継手本体に挿入された取付管に締着し固定する締着手段と、小径部の内外に設けられる第１のシール手段と、大径部の外側に設けられ、マンホールの削孔内面に圧着する第２のシール手段を有することを特徴とする。
【０００６】
本発明の継手をマンホールの内側から取付ける時には、図４に示すように、マンホールの内側から削孔に継手本体を小径部を先頭にして挿入し、大径部に張り出し金具を装着して拡張治具により拡径し、大径部を削孔内面に圧着させて固定する。固定後、拡張治具を取り外してマンホール外側から継手本体内に取付管を挿入し、締着手段で継手本体の小径部を取付管に締着し固定する。マンホール内側からは、継手本体の大径部と取付管との間の隙間に充填材を詰め、モルタル仕上げする。
【０００７】
一方、本発明の継手をマンホールの外側から取付けるときには、マンホールの削孔に継手本体を小径部を先頭にして挿入する。挿入は位置決め手段で位置決めされるまで行われ、位置決め手段としては、例えば図５に示すように円周上の一部を切り欠く環状をなして大径部に着脱可能に取着され、径方向外向きに突出する爪３８又はフランジを有する位置決め金具３９が用いられる。
【０００８】
位置決め後、位置決め手段を取外し、ついで大径部に装着した張り出し金具を拡張金具により拡径し、大径部を削孔内面に圧着させ固定する。固定後、拡張治具を取外し、大径部端で内向きに折り込んで小径部をマンホール外に引出し、図９に示すようにマンホール外に向けて突出させる。その後、継手本体内に取付管を挿入し、締着手段で継手本体の小径部を取付管に締着し固定する。マンホール内側からは継手本体と取付管との間の隙間に上記と同様、充填材を詰め、モルタル仕上げする。
【０００９】
なお、上述の張り出し金具は、継手本体を削孔に挿入後に大径部に装着しているが、継手本体に装着した状態で継手本体と共に削孔に挿入するようにしてもよい。
本発明で用いる締着手段としては、継手本体の小径部を取付管に締着して固定できるようなものであればよく、特に限定されないが、敢えて例示すれば上述のホースバンド５が挙げられる。
【００１０】
また第１及び第２のシール手段としては、例えば上述の水膨張スポンジゴム、小径部の内外及び大径部の外側に突出形成されるシールリップ等を使用することができるが、このなかではシールリップが望ましい。継手本体と一体成形が可能で、シール手段を別に用意して取付ける必要がなくなるからである。
【００１１】
請求項２に係わる発明は、請求項１に係わる発明の第１及び第２のシール手段が小径部の内外及び大径部の外側に突出形成されるシールリップであることを特徴とする。
請求項３に係わる発明は、前記継手をマンホールに削孔された孔内に小径部を先頭にしてマンホール外側から挿入し、挿入後大径部端から内向きに折り返して小径部をマンホール外側に向けて突出したとき、大径部と小径部の間の傾斜部と、大径部を孔内面に圧着させる張り出し金具との間の隙間に充填材をマンホール外側から挿入したことを特徴とする。
本発明によると、傾斜部と張り出し金具との間の隙間に充填材を挿入することにより、上記隙間に土砂が入り込み、継手と当たって継手を損傷するのを防ぐことができ、充填材が継手を保護する機能を果たす。したがってこの充填材は、上記隙間への土砂の流入防止と、マンホール継手の保護の機能を果たすようになる。
【００１２】
【発明の実施の形態】
図１は、継手本体１５について示すもので、一端の大径部１５ａと、他端の小径部１５ｂと、中間の傾斜部１５ｃとよりなっており、大径部端の傾斜部１５ｃとの境は、周溝１６により薄肉に形成され、該薄肉部分で傾斜部１５ｃと、その先端の小径部１５ｂが図２に示すように内側に容易に折り返しができるようになっている。そして大径部１５ａの外側には第２のシール手段としてのシールリップ１７が、小径部１５ｂの内外に第１のシール手段としてのシールリップ１８がそれぞれ鋸歯状に形成されている。なお、継手本体１５は、樹脂又はゴム製、好ましくはエチレン−プロピレン−ジエン三元共重合体ＥＰＤＭのソリッドゴムで形成される。
【００１３】
継手本体１５と共に継手を構成する張り出し金具１９と締着手段のホースバンド５は図４及び図７に示してある。これらの構造は既知のもので、その詳細な構造と説明については省略する。
継手本体１５をマンホール１の削孔２に内側から取付ける時には、図１に示す継手本体１５を大径部１５ａに張り出し金具１９を装着した状態で、小径部１５ｂを先頭にして削孔２に挿入する。ついで図３に示すように上記張り出し金具１９のトッグルジョイント１９ａを構成するリンクの連結部分に拡張治具としての油圧ジャッキ２１を当て、トッグルジョイント１９ａを押し込むことにより張り出し金具１９を拡径し、大径部１５ａを削孔内面に圧着させて固定する。固定後、油圧ジャッキ２１を取り外す。
【００１４】
次に図４に示すように、マンホール外側から取付管３を金属製好ましくはステンレス製のホースバンド５を取付けた状態で継手本体１５の小径部１５ｂより継手本体１５に挿入し、ホースバンド５を小径部１５ｂ上に移動させて締込みを行い、小径部１５ｂを取付管３上に締着し固定する。そしてマンホール１の内側から大径部１５ａと取付管３との間の隙間よりポリエチレンスポンジよりなる管状の充填材６を挿入し、張り出し金具１９に装着する。その後モルタル仕上げを行う。図４は、施工を完了した状態を示している。図中、９はモルタル部分を示す。
【００１５】
継手本体１５をマンホールの外側から取付けるときには、大径部１５ａに張り出し金具１９と図５に示す位置決め金具３９を装着した状態で削孔２に小径部１５ｂを先頭にして挿入し、爪３８が削孔２の孔縁に当たるまで挿入することにより位置決めを行う（図６）。位置決め後、位置決め金具３９を取外し、ついで上記と同様、油圧ジャッキ２１により張り出し金具１９を拡径させて大径部１５ａを削孔内面に圧着し固定する。固定後、油圧ジャッキ２１を取り外す。
【００１６】
次にマンホール内に突出する小径部１５ｂを掴んで手前に寄せ、周溝１６の薄肉部分で屈折させて図２に示すように内向きに折り込む。この状態で小径部１５ｂと傾斜部１５ｃは、継手本体１５を内側から取り付けたものと比べ、表裏が逆となる。その後、上記と同様、取付管３を差込み、ホースバンド５で小径部１５ｂを取付管３に締着し固定する。続いて、傾斜部１５ｃと張り出し金具１９間の隙間にマンホール外側から充填材４を挿入し、上記隙間を塞ぐ。そしてマンホール内側から傾斜部１５ｃと取付管３との間の隙間に上記充填材６を装着し、ついでモルタル仕上げを行う。図７は施工を完了した状態を示す。
【００１７】
本実施形態の継手本体は以上のように、マンホール１１の内側からでも外側からでも削孔２に挿入して施工することができ、小径部１５ｂには内外にシール手段としてのシールリップ１８が形成されているので、引繰り返してもいずれかのシールリップ１８が取付管３を圧着してシールできるようになる。
【００１８】
上記実施形態では、張り出し金具としてトッグルジョイントを備えたものを使用し、拡張治具として油圧ジャッキを使用しているが、既知の他のタイプのもの、例えば特開平８−２０９９６号に示されるような支持リングや圧着治具を用いることもできる。
また位置決め金具も他の位置決め金具、例えば爪に代えてフランジにしたものを用いることができる。
【００１９】
【発明の効果】
本発明の継手によると、施工状況によってマンホールの内側からでも外側からでも取付けることができ、二種類の継手を用意し、使い分ける必要がない。またマンホールの内外のいずれの側から取付けた場合でも小径部の内外にシール手段を設けたことによりシールが可能となる。
またシール手段としてシールリップを用いれば、継手本体と一体成形することが可能となり、シール手段を別途設けて取付ける必要もなくなる。
【００２０】
また、継手をマンホール外側から取付ける際に発生する大径部と小径部の間の傾斜部と、張り出し金具の間の隙間に充填材をマンホール外側から挿入し、上記隙間を塞ぐようにすれば、マンホール周辺を埋め戻した時に土砂が入り込むのを防ぎ、土砂の流入により継手が損傷するのを防止することができる。
【図面の簡単な説明】
【図１】継手本体の部分断面正面図。
【図２】図１に示す継手本体の小径部と傾斜部を内向きに折返した状態を示す部分断面正面図。
【図３】油圧ジャッキで張り出し金具を拡径するときの状態を示す図。
【図４】継手を内付けしたときの断面図。
【図５】位置決め金具の正面図。
【図６】図５に示す位置決め金具で位置決めした継手本体の断面図。
【図７】継手を外付けしたときの断面図。
【図８】従来の内付け用継手の断面図。
【図９】従来の外付け用継手の断面図。
【符号の説明】
１・・マンホール
２・・削孔
３・・取付管
４・・充填材
５・・ホースバンド
６・・充填材
９・・目地材
１５・・継手本体
１５ａ・・大径部
１５ｂ・・小径部
１５ｃ・・傾斜部
１６・・周溝
１７、１８・・シールリップ
１９・・張り出し金具
１９ａ・・トッグルジョイント
２１・・油圧ジャッキ
３８・・爪
３９・・位置決め金具
【図１】
2004100144.tif 000003
【図２】
2004100144.tif 000004
【図３】
2004100144.tif 000005
【図４】
2004100144.tif 000006
【図５】
2004100144.tif 000007
【図６】
2004100144.tif 000008
【図７】
2004100144.tif 000009
【図８】
2004100144.tif 000010
【図９】
2004100144.tif 000011